(57)【要約】【課題】利用者の生体情報を遠隔で収集し、当該利用者の健康状態に応じた対処方法を提供することが可能な健康管理支援システムを提供する。【解決手段】利用者の生体情報を取得する生体情報取得装置から前記生体情報を収集する収集手段と、前記収集手段が収集した生体情報を外部に送信する送信手段と、を有する端末装置と、前記端末装置から送信された生体情報を受信する受信手段と、前記受信手段が受信した生体情報から前記利用者の健康状態を判定し、この健康状態に応じた対処方法を導出する健康状態判定手段と、前記健康状態判定手段が導出した対処方法を前記端末装置に提供する提供手段と、を有するサーバ装置と、を備える。【選択図】図１
2012110593.tif 000002
【特許請求の範囲】
【請求項１】
利用者の生体情報を取得する生体情報取得装置から前記生体情報を収集する収集手段と、前記収集手段が収集した生体情報を外部に送信する送信手段と、を有する端末装置と、
前記端末装置から送信された生体情報を受信する受信手段と、前記受信手段が受信した生体情報から前記利用者の健康状態を判定し、この健康状態に応じた対処方法を導出する健康状態判定手段と、前記健康状態判定手段が導出した対処方法を前記端末装置に提供する提供手段と、を有するサーバ装置と、
を備えたことを特徴とする健康管理支援システム。
【請求項２】
前記健康状態判定手段は、前記利用者の健康状態を医療従事者に通知し、当該医療従事者から入力される情報を前記対処方法として導出することを特徴とする請求項１に記載の健康管理支援システム。
【請求項３】
前記健康状態判定手段は、前記受信手段で受信された生体情報と所定の基準値との差分に基づいて、前記利用者の健康状態が正常か否かを判定することを特徴とする請求項１又は２に記載の健康管理支援システム。
【請求項４】
前記健康状態判定手段は、前記利用者の身体的特徴に応じた前記基準値を用いて、健康状態が正常か否かの判定を行うことを特徴とする請求項３に記載の健康管理支援システム。
【請求項５】
前記サーバ装置は、前記利用者の識別情報と、当該利用者の端末装置から前記受信手段が受信した生体情報と、当該生体情報について前記健康状態判定手段が導出した対処方法とを関連付けて記憶する記憶手段をさらに備え、
前記健康状態判定手段は、前記記憶手段に記憶された生体情報の変化量を時系列順に辿ることで前記利用者の健康状態を判定することを特徴とする請求項１〜４の何れか一項に記載の健康管理支援システム。
【請求項６】
前記端末装置は、前記利用者からの入力操作に応じて、前記対処方法を要求する要求情報を前記利用者の識別情報とともに前記サーバ装置に送信する対処方法要求手段を更に備え、
前記サーバ装置の前記提供手段は、前記端末装置から送信された前記要求情報に応じて、当該要求情報とともに送信された識別情報に対応する対処方法を前記記憶手段から読み出し、前記端末装置に提供することを特徴とする請求項５に記載の健康管理支援システム。
【発明の詳細な説明】
【技術分野】
【０００１】
本発明の実施形態は、健康管理支援システムに関する。
【背景技術】
【０００２】
従来、利用者から送信された生体情報をサーバ装置にて蓄積することで、利用者の健康状態を管理するシステムが提案されている。係るシステムでは、受信した生体情報の値が予め設定した上限値を超えている場合に、利用者に注意を促すことが可能となっている。
【発明の概要】
【発明が解決しようとする課題】
【０００３】
しかしながら、従来のシステムでは、生体情報が所定の上限値を超えた場合に警告が通知されるものの、利用者はこの警告に対して、どのように対処すればよいのか分からず、健康管理を行う上で利便性に欠けるという問題があった。
【課題を解決するための手段】
【０００４】
実施形態の健康管理支援システムは、収集手段と送信手段とを有する端末装置、及び、受信手段と健康状態判定手段と提供手段とを有するサーバ装置を備える。収集手段は、利用者の生体情報を取得する生体情報取得装置から生体情報を収集する。送信手段は、収集手段が収集した生体情報を外部に送信する。受信手段は、端末装置から送信された生体情報を受信する。健康状態判定手段は、受信手段が受信した生体情報から利用者の健康状態を判定し、この健康状態に応じた対処方法を導出する。提供手段は、健康状態判定手段が導出した対処方法を端末装置に提供する。
【図面の簡単な説明】
【０００５】
【図１】図１は、本実施形態に係る健康管理支援システムの全体構成を概略的に示す図である。
【図２】図２は、生体情報取得装置の構成の一例を示す図である。
【図３】図３は、利用者端末の構成の一例を示す図である。
【図４】図４は、サーバ装置の構成の一例を示す図である。
【図５】図５は、電子カルテリポジトリのデータ構成の一例を模式的に示す図である。
【図６】図６は、生体情報登録処理の手順を示すフローチャートである。
【図７】図７は、健康状態判定処理の手順を示すフローチャートである。
【図８】図８は、健康管理支援情報提供処理の手順を示すフローチャートである。
【発明を実施するための形態】
【０００６】
以下、添付図面を参照して、健康管理支援システムの実施形態を詳細に説明する。なお、以下に説明する実施形態によりこの発明が限定されるものではない。
【０００７】
図１は、本実施形態に係る健康管理支援システム１００の全体構成を概略的に示す図である。同図に示すように、健康管理支援システム１００は、生体情報取得装置１０と、利用者端末２０と、サーバ装置３０とを有している。ここで、生体情報取得装置１０及び利用者端末２０は、Ｂｌｕｅｔｏｏｔｈ（登録商標）等の小規模ネットワークＰＡＮで接続され、本システムを利用する利用者宅等に設置される。また、サーバ装置３０は、インターネット等のネットワークＷＡＮを介して利用者端末２０と接続され、病院等の医療機関等によって管理されている。なお、小規模ネットワークＰＡＮに接続される生体情報取得装置１０の個数、ネットワークＷＡＮに接続される利用者端末２０の個数は、図１の例に限らないものとする。
【０００８】
生体情報取得装置１０は、利用者から体重、体温、血圧、心拍数、心電図、血糖値等の生体情報を取得する。生体情報取得装置１０は、例えば、各種の生体情報を計測する一又は複数のセンサ装置で構成され、当該センサ装置で取得（計測）された生体情報を、小規模ネットワークＰＡＮを介して利用者端末２０に送信する。
【０００９】
また、利用者端末２０は、ＰＣ（Personal  Computer）等の端末装置である。利用者端末２０は、生体情報取得装置１０で取得された生体情報を収集し、ネットワークＷＡＮを介してサーバ装置３０に送信する。また、利用者端末２０は、サーバ装置３０から送信される後述する健康管理支援情報等を受信すると、これを利用者に提示する。
【００１０】
また、サーバ装置３０は、Ｗｅｂサーバやアプリケーションサーバ等の機能を備えたサーバ装置であって、利用者端末２０から送信される各利用者の生体情報を記憶・管理する。また、サーバ装置３０は、利用者端末２０からの要求に応じて、利用者の健康管理を支援するための健康管理支援情報を利用者端末２０に提供（送信）する。
【００１１】
以下、図２〜図５を参照し、健康管理支援システム１００を構成する各装置の構成について説明する。
【００１２】
図２は、生体情報取得装置１０の構成の一例を示す図である。同図に示すように、生体情報取得装置１０は、情報処理を実行するマイクロコンピュータとして、ＣＰＵ（Central  Processing  Unit）１１、ＲＯＭ（Read  Only  Memory）１２及びＲＡＭ（Random  Access  Memory）１３を備えている。
【００１３】
ＣＰＵ１１は、ＲＯＭ１２に記憶された各種プログラムを実行することにより、生体情報取得装置１０を統括的に制御する。ＲＯＭ１２は、基本動作を行うためのプログラムを記憶している。ＲＡＭ１３は、生体情報取得装置１０の主記憶装置であって、ＣＰＵ１１のワークエリアとして機能する。
【００１４】
また、ＣＰＵ１１には、各種の入出力回路（図示せず）を介して、生体情報取得部１４及び通信Ｉ／Ｆ１５が接続されている。ここで、生体情報取得部１４は、利用者端末２０の利用者から各種の生体情報の取得を行うセンサ装置である。また、通信Ｉ／Ｆ１５は、小規模ネットワークＰＡＮを介し利用者端末２０とデータ通信を行うためのインタフェースである。ＣＰＵ１１は、この通信Ｉ／Ｆ１５を用いて、生体情報取得部１４で取得された生体情報を利用者端末２０に送信する。
【００１５】
なお、生体情報取得部１４は、複数の種別の生体情報を取得可能な一のセンサ装置又は複数のセンサ装置群であってもよいし、単一の種別の生体情報を取得可能な一のセンサ装置であってもよい。また、互いに異なる種別の生体情報の取得に特化した生体情報取得部１４を具備する生体情報取得装置１０を複数台用意し、これら複数の生体情報取得装置１０で取得された生体情報を、利用者端末２０にそれぞれ送信する形態としてもよい。
【００１６】
図３は、利用者端末２０の構成の一例を示す図である。同図に示すように、利用者端末２０は、情報処理を実行するマイクロコンピュータとして、ＣＰＵ２１、ＲＯＭ２２及びＲＡＭ２３を備えている。
【００１７】
ＣＰＵ２１は、ＲＯＭ２２や後述する記憶部２６に記憶された各種プログラムを実行することにより、利用者端末２０を統括的に制御する。ＲＯＭ２２は、基本動作を行うためのプログラムを記憶している。ＲＡＭ２３は、利用者端末２０の主記憶装置であって、ＣＰＵ２１のワークエリアとして機能する。
【００１８】
また、ＣＰＵ２１には、各種の入出力回路（図示せず）を介して、入力部２４及び表示部２５が接続されている。入力部２４は、キーボードやポインティングデバイス等の入力デバイスを有し、利用者端末２０の操作者から入力された操作内容をＣＰＵ２１に通知する。表示部２５は、ＬＣＤ等の表示デバイスを有し、ＣＰＵ２１の指示に従い各種の情報を表示する。
【００１９】
また、ＣＰＵ２１には、各種の入出力回路（図示せず）を介して、記憶部２６、第１通信Ｉ／Ｆ２７及び第２通信Ｉ／Ｆ２８が接続されている。
【００２０】
記憶部２６は、ＨＤＤやフラッシュメモリ等の記憶媒体であって、後述する各機能部を実現するための各種プログラムや各種ファイルを記憶している。第１通信Ｉ／Ｆ２７は、生体情報取得装置１０とデータ通信を行うためのネットワークインタフェースである。また、第２通信Ｉ／Ｆ２８は、サーバ装置３０とデータ通信を行うためのネットワークインタフェースである。ＣＰＵ２１は、第１通信Ｉ／Ｆ２７を介して生体情報取得装置１０から生体情報を受信する。また、ＣＰＵ２１は、第２通信Ｉ／Ｆ２８を介してサーバ装置３０との間で種々のデータを送受信する。
【００２１】
図４は、サーバ装置３０の構成の一例を示す図である。同図に示すように、サーバ装置３０は、情報処理を実行するマイクロコンピュータとして、ＣＰＵ３１、ＲＯＭ３２及びＲＡＭ３３を備えている。
【００２２】
ＣＰＵ３１は、ＲＯＭ３２や後述する記憶部３６に記憶された各種プログラムを実行することにより、サーバ装置３０を統括的に制御する。ＲＯＭ３２は、基本動作を行うためのプログラムを記憶している。ＲＡＭ３３は、サーバ装置３０の主記憶装置であって、ＣＰＵ３１のワークエリアとして機能する。
【００２３】
また、ＣＰＵ３１には、各種の入出力回路（図示せず）を介して、入力部３４及び表示部３５が接続されている。入力部３４は、キーボードやポインティングデバイス等であって、サーバ装置３０の操作者から入力されたキー情報をＣＰＵ３１に通知する。表示部３５は、ＬＣＤ等の表示デバイスを有し、ＣＰＵ３１の指示に従い各種の情報を表示する。
【００２４】
また、ＣＰＵ３１には、各種の入出力回路（図示せず）を介して、記憶部３６及び通信Ｉ／Ｆ３７が接続されている。
【００２５】
記憶部３６は、ＨＤＤやフラッシュメモリ等の記憶媒体であって、後述する各機能部を実現するための各種プログラムや各種ファイルを記憶している。記憶部３６が記憶するファイルとしては、例えば、各利用者から送信された生体情報や、当該利用者の健康状態に応じた対処方法等を記憶・管理する電子カルテリポジトリ３６１等が挙げられる。
【００２６】
ここで、図５は、電子カルテリポジトリ３６１のデータ構成の一例を模式的に示す図である。同図に示すように、電子カルテリポジトリ３６１は、各利用者（又は利用者端末２０）を識別する識別情報としての利用者ＩＤと、各利用者の性別や身長、体重、血圧、血糖値等の身体的特徴を記録した身体特徴情報と、日付毎の生体情報と、付記情報とを関連付けて格納する。なお、付記情報には、後述する健康状態判定部３１３により導出された対処方法が格納されるものとする。
【００２７】
図４に戻り、通信Ｉ／Ｆ３７は、利用者端末２０とデータ通信を行うためのインタフェースである。ＣＰＵ３１は、通信Ｉ／Ｆ３７を介して利用者端末２０から生体情報を受信する。また、ＣＰＵ３１は、通信Ｉ／Ｆ３７を介して健康管理支援情報を利用者端末２０に送信する。なお、図示しないが、サーバ装置３０は、ＲＴＣ（Real  Time  Clock）等の計時装置を具備し、ＣＰＵ３１は計時装置が計時する時刻情報に基づいて、現在日時（年月日）を取得できるものとする。
【００２８】
次に、図３及び図４を参照して、利用者端末２０及びサーバ装置３０が有する特徴的な機能について説明する。
【００２９】
図３に示すように、利用者端末２０のＣＰＵ２１は、ＲＯＭ２２や記憶部２６に記憶されたプログラムとの協働により、通信制御部２１１、生体情報収集部２１２、操作受付部２１３及び表示制御部２１４を実現させる。
【００３０】
通信制御部２１１は、第１通信Ｉ／Ｆ２７の動作を制御することで、生体情報取得装置１０との間のデータ通信を制御する。また、通信制御部２１１は、第２通信Ｉ／Ｆ２８の動作を制御することで、サーバ装置３０との間のデータ通信を制御する。なお、通信制御部２１１は、サーバ装置３０へのアクセスの際に、自己の利用者端末２０を操作する利用者を識別可能な利用者ＩＤをサーバ装置３０に通知するものとする。
【００３１】
ここで、利用者ＩＤは、各利用者の氏名や固有の情報（例えば、会員番号）であってもよいし、利用者端末２０に割り当てられた固有の情報（例えば、コンピュータ名やＩＰアドレス等）であってもよい。なお、利用者の氏名や会員番号を利用者ＩＤとする場合、サーバ装置３０へのアクセスに先駆けて利用者ＩＤが入力部２４を介して入力される形態としてもよいし、記憶部２６に予め記憶しておいた利用者ＩＤを用いる形態としてもよい。
【００３２】
生体情報収集部２１２は、通信制御部２１１を介して生体情報取得装置１０から送信された利用者の生体情報を収集する。また、生体情報収集部２１２は、収集した生体情報を、通信制御部２１１を介してサーバ装置３０に送信する。ここで、生体情報収集部２１２は、生体情報を受診した順に収集することで取得された生体情報の時系列を保持し、この時系列を保持した状態でサーバ装置３０に送信する。なお、生体情報をサーバ装置３０に送信するタイミングは特に問わないものとする。例えば、３時間等の所定時間毎に送信する形態としてもよいし、生体情報を収集する度にサーバ装置３０に送信する形態としてもよい。
【００３３】
操作受付部２１３は、入力部２４を介して入力された操作内容を受け付け、当該操作内容に応じた処理を実行する。具体的に、操作受付部２１３は、入力部２４を介して自己の利用者端末２０を操作する利用者から健康管理支援情報の取得を要求する操作を受け付けると、この健康管理支援情報を要求する要求情報を生成し、通信制御部２１１を介してサーバ装置３０に送信する。
【００３４】
また、表示制御部２１４は、サーバ装置３０から送信（提供）される健康管理支援情報等の各種の情報を表す画面を表示部２５に表示する。
【００３５】
一方、サーバ装置３０のＣＰＵ３１は、ＲＯＭ３２や記憶部３６に記憶されたプログラムとの協働により、図４に示すように、通信制御部３１１、生体情報登録部３１２、健康状態判定部３１３及び情報提供部３１４を実現させる。
【００３６】
通信制御部３１１は、通信Ｉ／Ｆ３７の動作を制御することで、利用者端末２０との間の通信を制御する。具体的に、通信制御部３１１は、利用者端末２０から送信される生体情報や要求情報等を、通信Ｉ／Ｆ３７を用いて受信する。また、通信制御部３１１は、情報提供部３１４から提供される健康管理支援情報を、通信Ｉ／Ｆ３７を用いて利用者端末２０に送信する。
【００３７】
生体情報登録部３１２は、通信制御部３１１が生体情報を受信する毎に、この生体情報と受信した日時を、送信元の利用者端末２０の利用者ＩＤと関連付け、電子カルテリポジトリ３６１に登録する。ここで、電子カルテリポジトリ３６１に登録される生体情報は、時系列順に登録されるものとする。
【００３８】
健康状態判定部３１３は、電子カルテリポジトリ３６１に登録された各利用者ＩＤの生体情報から、この利用者ＩＤに係る利用者の健康状態を判定し、健康状態に応じた対処方法を導出する機能部である。具体的に、健康状態判定部３１３は、電子カルテリポジトリ３６１に登録された各利用者ＩＤについて、種別毎の生体情報と所定の基準値とを比較することでその差分値を算出し、この差分値に基づいて利用者の健康状態が正常か否かを判定する。なお、比較の対象となる生体情報は一に限らず、所定時間分（例えば、最新の登録時間から３時間前迄等）の生体情報を対象とし、それらの変化量や平均値を参酌する形態としてもよい。
【００３９】
ここで、各種の生体情報と比較する基準値や、正常か異常かの判定の指標となる閾値は、性別や年齢、身長、体重等、電子カルテリポジトリ３６１に登録された各利用者ＩＤの身体特徴情報の条件に基づいて、利用者ＩＤ毎に設定されるものとする。なお、利用者毎の基準値及び閾値は、対応する利用者ＩＤと関連付けて電子カルテリポジトリ３６１等に予め記憶する形態としてもよいし、各利用者の身体特徴情報に基づき所定の関係式から動的に生成する形態としてもよい。
【００４０】
また、健康状態判定部３１３は、健康状態の判定結果や生体情報の変化量に基づいて、健康状態を改善するための対処方法を導出すると、この対処方法を電子カルテリポジトリ３６１に登録された対応する利用者ＩＤの付記情報に格納する。ここで、対処方法の導出は、生体情報の差分値に対応する健康状態の各条件とその対処方法とを関連付けたデータベース（図示せず）を参照して行うものとする。また、健康状態の判定結果や生体情報の変化量を医師等の医療従事者に判定結果を通知し、当該医療従事者から入力（送信）された情報を対処方法とする形態としてもよい。なお、医療従事者への通知方法は特に問わず、例えば、医療従事者の電子メール宛に送信する形態としてもよいし、医療従事者の端末がサーバ装置３０とオンラインで接続されている場合には、該当する生体情報を確認する旨のメッセージを当該端末に表示させる形態としてもよい。また、医療従事者への通知は、健康状態に異常ありと判定した場合に行う形態としてもよい。
【００４１】
情報提供部３１４は、通信制御部３１１が要求情報を受信した場合に、送信元の利用者端末２０の利用者ＩＤに関連付けられた付記情報を電子カルテリポジトリ３６１から読み出し、健康管理支援情報として通信制御部３１１を介して送信元の利用者端末２０に提供する。なお、提供する情報は付記情報のみに限らず、健康状態判定部３１３による判定結果や生体情報の変化量、電子カルテリポジトリ３６１に蓄積された生体情報自体を参照可能に提供する形態としてもよい。
【００４２】
以下、図６〜図８を用いて、健康管理支援システム１００の動作について説明する。図６は、生体情報取得装置１０と、利用者端末２０と、サーバ装置３０との間で行われる生体情報登録処理の手順を示すフローチャートである。
【００４３】
まず、健康管理支援システム１００の利用者により生体情報取得装置１０の操作が行われると、当該生体情報取得装置１０の生体情報取得部１４は、この利用者の生体情報を取得する（ステップＳ１１）。続いて、生体情報取得装置１０のＣＰＵ１１は、ステップＳ１１で取得された生体情報を利用者端末２０に送信する（ステップＳ１２）。
【００４４】
一方、利用者端末２０では、通信制御部２１１が生体情報取得装置１０から生体情報を受信する毎に（ステップＳ２１）、生体情報収集部２１２は、この生体情報を収集し（ステップＳ２２）、収集した生体情報を所定のタイミングでサーバ装置３０に送信する（ステップＳ２３）。なお、上述したように、サーバ装置３０へのアクセスの際には、利用者端末２０を操作する利用者の利用者ＩＤがサーバ装置３０に送信されるものとする。
【００４５】
サーバ装置３０では、通信制御部３１１が利用者端末２０から送信された生体情報を受信すると（ステップＳ３１）、生体情報登録部３１２は、この生体情報及び受信日時を、送信元の利用者端末２０の利用者ＩＤと関連付け、電子カルテリポジトリ３６１に登録すし（ステップＳ３２）、本処理を終了する。
【００４６】
このように、生体情報登録処理の実行によって、生体情報取得装置１０で取得された利用者の生体情報が、当該利用者の利用者ＩＤと関連付けてサーバ装置３０に記憶・管理される。これにより、各利用者の生体情報を遠隔で収集し、記憶・管理することが可能となる。
【００４７】
図７は、サーバ装置３０で行われる健康状態判定処理の手順を示すフローチャートである。なお、本処理を実行するタイミングは特に問わず、例えば、一日に一度、各利用者（利用者ＩＤ）の前日分の生体情報を処理の対象とし、本処理を実行する形態としてもよいし、利用者端末２０からの要求情報に応じてその都度実行する形態としてもよい。
【００４８】
まず、サーバ装置３０の健康状態判定部３１３は、電子カルテリポジトリ３６１を参照し、判定対象となる一の利用者ＩＤを選択する（ステップＳ４１）。例えば、特定の利用者端末２０から健康管理支援情報要求が送信された場合には、健康状態判定部３１３は、この利用者端末２０の利用者ＩＤを判定対象に設定する。
【００４９】
続いて、健康状態判定部３１３は、ステップＳ４１で選択した識別情報に関連付けられた日毎の生体情報のうち、判定対象となる日付の生体情報を抽出する（ステップＳ４２）。ここで、判定対象の日付は、前日分や本日分の日付等、最近の日付の生体情報を判定対象とすることが好ましい。また、複数の日付を判定対象としてもよく、例えば、前日から本日にかけての生体情報を判定対象とする形態としてもよい。
【００５０】
次いで、健康状態判定部３１３は、抽出した生体情報を種別毎に分別し、ステップＳ４１で選択した利用者ＩＤ用の各基準値と比較することでその差分値を算出する（ステップＳ４３）。続いて、健康状態判定部３１３は、算出した各生体情報の差分値に基づいて利用者の健康状態が正常か否かを判定する（ステップＳ４４）。
【００５１】
ステップＳ４４において正常と判定した場合（ステップＳ４４；Ｙｅｓ）、ステップＳ４６に直ちに移行する。また、ステップＳ４４において異常と判定した場合（ステップＳ４４；Ｎｏ）、健康状態判定部３１３は、判定の根拠となった生体情報と、その判定結果を医療従事者に通知し（ステップＳ４５）、ステップＳ４６に移行する。なお、本処理では、健康状態に異常ありと判定した場合に医療従事者に通知する形態としたが、これに限らないものとする。
【００５２】
ステップＳ４６において、健康状態判定部３１３は、ステップＳ４４の判定結果に基づいて、利用者の健康状態に応じた対処方法を導出する（ステップＳ４６）。なお、医療従事者から情報が入力された場合には、健康状態判定部３１３は、この情報を対処方法として導出し処理を進める。続いて、健康状態判定部３１３は、導出した対処方法を電子カルテリポジトリ３６１に登録された対応する利用者ＩＤの付記情報に格納し（ステップＳ４７）、本処理を終了する。
【００５３】
このように、サーバ装置３０では、利用者端末２０から送信された利用者の生体情報に基づいて、当該利用者の健康状態を判定し、この判定結果に応じた対処方法を所定のタイミングで導出する。
【００５４】
次に、図８を参照し、利用者端末２０と、サーバ装置３０との間で行われる健康管理支援情報提供処理について説明する。ここで、図８は、利用者端末２０と、サーバ装置３０との間で行われる健康管理支援情報提供処理の手順を示すフローチャートである。
【００５５】
まず、利用者端末２０において、操作受付部２１３は、入力部２４を介して健康管理支援情報の取得を要求する指示操作を受け付けると（ステップＳ５１）、この健康管理支援情報を要求する要求情報をサーバ装置３０に送信する（ステップＳ５２）。なお、上述したように、サーバ装置３０へのアクセスの際には、利用者端末２０を操作する利用者の利用者ＩＤがサーバ装置３０に送信されるものとする。
【００５６】
サーバ装置３０では、通信制御部３１１が利用者端末２０から要求情報を受信すると（ステップＳ６１）、情報提供部３１４は、この要求情報を送信した利用者端末２０の利用者ＩＤに関連付けられた生体情報や付記情報等を、電子カルテリポジトリ３６１から読み出す（ステップＳ６２）。次いで、情報提供部３１４は、ステップＳ６２で読み出した情報を健康管理支援情報とし、要求情報を送信した利用者端末２０に送信（提供）する（ステップＳ６３）。
【００５７】
利用者端末２０では、通信制御部２１１がサーバ装置３０から健康管理支援情報を受信すると（ステップＳ５３）、表示制御部２１４は、この健康管理支援情報に基づいた画面を表示部２５に表示し（ステップＳ５４）、本処理を終了する。
【００５８】
これにより、利用者端末２０を操作する利用者は、自己の健康状態に応じた健康管理支援情報（対処方法等）を参照することができるため、この健康管理支援情報の内容に基づいて対処することで、健康状態の維持又は改善を図ることが可能となる。
【００５９】
以上のように、本実施形態によれば、各利用者の生体情報を容易に蓄積することができるとともに、当該生体情報から利用者の健康状態を判定し、この判定結果に応じた対処方法を利用者に提供する。これにより、各利用者の健康状態に応じた対処方法を遠隔で提供することができるため、各利用者において健康管理を行う上での利便性を向上させることができる。
【００６０】
以上、本発明の実施形態について説明したが、本発明はこれに限定されるものではなく、本発明の主旨を逸脱しない範囲での種々の変更、置換、追加等が可能である。
【００６１】
例えば、上記実施形態では、電子カルテリポジトリ３６１をサーバ装置３０が備える形態としたが、これに限らず、サーバ装置３０がアクセス可能な外部装置（例えば、データベースサーバ）に、電子カルテリポジトリ３６１が記憶されている形態としてもよい。
【００６２】
また、上記実施形態では、電子カルテリポジトリ３６１に蓄積した生体情報に基づき健康状態を判定する形態としたが、これに限らず、利用者端末２０から受信した生体情報と基準値とを比較することで、受信した生体情報から健康状態を直接判定する形態としてもよい。
【００６３】
また、上記実施形態では、サーバ装置３０は利用者端末２０からの要求情報に応じて健康管理支援情報を提供する形態としたが、これに限らず、サーバ装置３０から利用者端末２０に向けて一方的に健康管理支援情報を送信する形態としてもよい。なお、この形態の場合、健康状態に異常ありとの判定時に健康管理支援情報を送信することが好ましい。
【００６４】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００６５】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００６６】
１００  健康管理支援システム
１０  生体情報取得装置
１１  ＣＰＵ
１２  ＲＯＭ
１３  ＲＡＭ
１４  生体情報取得部
１５  通信Ｉ／Ｆ
２０  利用者端末
２１  ＣＰＵ
２１１  通信制御部
２１２  生体情報収集部
２１３  操作受付部
２１４  表示制御部
２２  ＲＯＭ
２３  ＲＡＭ
２４  入力部
２５  表示部
２６  記憶部
２７  第１通信Ｉ／Ｆ
２８  第２通信Ｉ／Ｆ
３０  サーバ装置
３１  ＣＰＵ
３１１  通信制御部
３１２  生体情報登録部
３１３  健康状態判定部
３１４  情報提供部
３２  ＲＯＭ
３３  ＲＡＭ
３４  入力部
３５  表示部
３６  記憶部
３６１  電子カルテリポジトリ
３７  通信Ｉ／Ｆ
【先行技術文献】
【特許文献】
【００６７】
【特許文献１】特開２００２−２４５１７７公報
【図１】
2012110593.tif 000003
【図２】
2012110593.tif 000004
【図３】
2012110593.tif 000005
【図４】
2012110593.tif 000006
【図５】
2012110593.tif 000007
【図６】
2012110593.tif 000008
【図７】
2012110593.tif 000009
【図８】
2012110593.tif 000010